(57)【特許請求の範囲】
【請求項１】
上縁周辺部に水平面と垂直面とからなる一定広さと高さの断面Ｌ字状段部を形成し、且つ水平面の適所に対しその裏面側へ向けてボルト止めを可能にするための透孔及び高ナット体を取付けてなる型枠を作成し、また上縁周辺部に鍔体が形成され、かつ鍔体の適所に対しその裏面側へ向けてレベル調節用の高ナットを配置され、かつ前記型枠の透孔に対応する位置に取付用ボルトの穴体が設けられた器具を作成し、設置現場に設けられた開口に対し上記型枠を配置し、上記型枠の外側にコンクリート打ちを行って上記型枠とスラブコンクリートとを一体化させ、上記型枠の水平面上へ上記鍔体を載置し、上記透孔及び高ナットに対して上記器具の鍔体をボルト止めすることを特徴とする器具の設置方法。
【請求項２】
上縁周辺部に鍔体が形成された器具であって、該鍔体の適所に対しその裏面側へ向けてレベル調節用の高ナットを配置し、かつ取付用ボルトの穴体を有する器具と、
設置現場に設けられた開口に配置され、外側にコンクリート打ちを行って上記型枠とスラブコンクリートとを一体化される型枠であって、上縁周辺部に水平面と垂直面とからなる一定広さと高さの断面Ｌ字状段部を有し、且つ上記器具の穴体を介して取付用ボルトによる止めを可能にするため、水平面の適所に対しその裏面側へ向けて透孔及び高ナット体を有する型枠とをからなる現地設置用の器具と型枠。
【請求項３】
請求項２において、前記型枠の垂直面の高さ寸法を前記器具の鍔体の高さ寸法より少し高くなる寸法となし、且つ上記透孔及び高ナットに対して上記鍔体をボルト止めする際に該ボルトのヘッド部が沈み込む状態で螺合止着可能な隠し穴体を有することを特徴とする現地設置用の器具と型枠。
【発明の詳細な説明】
【０００１】
【発明の属する技術分野】
本発明は桝やグリーストラップなどをスラブコンクリート内へ設置せんとするさいの設置工法及び該工法で使用する器具と型枠に関する。
【０００２】
従来、建築物のスラブコンクリート内へ設置施工される桝やグリーストラップなどは、これを構築する際に予めこれに対応した形状の開口部を設けることによって行われる。図５はこの状態を示す断面説明図であり、１はデッキプレート、２はスラブコンクリート、３はそこに形成された開口部であって、図示例では器具としてグリーストラップ４を取付けたものを示している。このように、桝やグリーストラップを設置する際には、現地に施工された際に桝やグリーストラップとなる器具が用いられている。
【０００３】
【発明が解決しようとする課題】
上記に於いて開口部は、現場に於いて職人が夫々れ相当の木製型枠を作成し、コンクリート打ちしたあと該型枠を取除いてから器具の取付けを行うのであり、型枠の作成に手間が掛るほか、器具の取付けにさいしても、各器具のレベル出しを行って取付る必要から、可成りの手間の掛る問題となっている。
本発明は上記の問題点を解決せんとするものである。
【０００４】
【課題を解決するための手段】
本発明は桝やグリーストラップなどを設置するにさいし、上縁周辺部に対し水平面と垂直面とからなる一定広さと高さの断面Ｌ字状段部を形成し、且つ水平面の適所に対しその底面側へ向けてボルト止めを可能とするための透孔及び高ナット体を取付けてなる型枠を予め作成しておき、これを桝やグリーストラップなどの設置箇所に対し設置してコンクリート打ちを行い、スラブコンクリートと一体化させると共に、該型枠上へ桝やグリーストラップなどを取付ることを特徴とする。
【０００５】
而して、上記型枠上へ取付る桝やグリーストラップなどは、上縁周辺部に対し上記型枠の水平面と係合して載置可能ならしめる一定広さの水平状鍔体を形成させ、且つ該鍔体の適所に対してその裏面側へ向けてレベル調節用の高ナット及び取付用のボルトのヘッド部隠し穴体を設けた構成とするのであり、また上記型枠の垂直面の高さ寸法は桝やグリーストラップなどの鍔体の高さ寸法より少し高くなる寸法となし、且つ型枠の高ナット体に対しグリーストラップの鍔体を取付け用ボルトのヘッド部がその隠し穴内へ沈み込む状態に螺合止着させるようになすのであり、他方レベル調整用の高ナットにはレベル調整ボルトを螺入させ、型枠の水平面に向って調整ボルトを進退させることにより型枠の水平面と鍔体との間隙寸法を変えさせて適宜必要なレベル調整が行われる構成とする。
【０００６】
【発明の実施の形態】
図１は本発明に係る桝やグリーストラップなどの設置工法で使用する型枠５の斜視図であり、該型枠５は剛性の合成樹脂材や金属材で適宜必要な規格寸法の大きさのものを予め工場生産しておくのである。
而して、該図面で明らかな通り型枠５の上縁周辺部には水平面５ａと垂直面５ｂとからなる一定広さｓと高さｈを備えたＬ字状段部Ｐが形成されるものとなし、且つ水平面５ａの適所に対して透孔６を穿設し、且つその裏面側へ向けてボルト止めを可能にするための高ナット７を一体化させたものとなしてある。なお、８は上記型枠５をコンクリート打ちするさいに予めデッキプレート１に対して取付け固定するための止着用ボルト孔である。
【０００７】
図２は上記型枠５をデッキプレートの必要箇所に取付けてスラブコンクリート２を打設した断面説明図である。９は上記型枠の取付けに使用したボルトナットである。
図３は上記のスラブコンクリート２と一体化された型枠５に対して、グリーストラップ４を取付けた状態の断面図であり、図４は該図の一点鎖線部分の拡大断面図である。
【０００８】
図３及び図４から明らかな通り、本発明では予め設置する桝やグリーストラップなどの形状や寸法に適応する型枠５を工場生産で製造しておき、現場作業ではその必要となる型枠５を選定してデッキプレート１に取付けてコンクリート打ちを行い、コンクリートと一体化されたものとなされた型枠５上に対し、桝やグリーストラップ４（図示例ではグリーストラップ）を取付けるようになすのである。
【０００９】
ところで、取付ける桝やグリーストラップ４の上縁部には上記型枠のＬ字状段部Ｐとなされた水平面５ａへ係合させるための水平状鍔体１０が形成されており、且つ該鍔体１０の適所に対してレベル調整用の高ナット１１及び取付け用ボルトのヘッド部隠し穴体１２が、その裏面側の垂直方向へ取付けたものとなしてある。
而して、上記取付け用ボルトのヘッド部隠し穴体１２は前記型枠５に穿設した透孔６及びこれと連通状態に取付けた高ナット７と対応一致する状態に取付けるようになしてある。
【００１０】
上記に於けるレベル調整用の高ナット１１には上方からレベル調整ボルト１３を螺合させるものとなすのであり、その進退により該ボルト１３の下部先端面ｍが型枠５の水平面５ａと当接した状態で更に進入するよう回動されるさいには、該水平面５ａとの間に間隙差ｋが形成されるものとなり、これにより鍔体１１のレベル調整が図られるようになる。
ここに、該調整手段は鍔体１０の周辺に於ける少なくとも４箇所に設けるものとなしてあり、上記による同様のボルト１３操作によりグリーストラップ４の全体の床面に対するレベル調整が図られるようになすのである。
【００１１】
而して、上記のレベル調整が終了した時点で本発明では本体固定用ボルト１４を鍔体１０の該ボルトヘッド部隠し穴体１２の上方から挿入して型枠５の高ナット７と螺合止着させるようになすのであり、この締付けにより前記のレベル調整されたグリーストラップ４をスラブコンクリート２の床面に対して強固な固定状体となすことができるものとなる。１５は上記固定後に鍔体１０の端縁部と型枠５との間隙へ充填させるモルタルである。
【００１２】
上記に於ける取付けにさいし、グリーストラップ４の鍔体１０上面はスラブコンクリートの床面に対して少し低く位置するようになされるのであり、これは床面上の歩行にさいし突出による引掛かりで躓きを生じさせないようにするためである。なお、図面で１６は床面上に敷設される防水シートである。
【００１３】
上記実施例で使用する型枠は一括して工場などで、別途に製造するものである。これに対し桝やグリーストラップなどの鍔体に設けるレベル調整用の高ナットや取付用ボルトのヘッド部隠し穴体などは、当該器具の製造にさいし上記型枠製品のそれと対応すべく新たな設計基準のもとに製造するが、既存の市販製品を部分的に改良することによっても簡単に設けることができる。
【００１４】
【発明の効果】
本発明は以上の通り構成するものであって、建築物のスラブコンクリート内へ桝やグリーストラップなどの設置施工にさいし、その型枠は予め工場生産されることから、従来のものに於ける如く現場で型枠を作成したりする手間の必要が全く無く、従って現場作業の省力化に寄与し、且つ迅速な作業の遂行と共に工期の短縮化が図れる。
一方、従来に於ける桝やグリーストラップなどの取付け時には、そのレベル出しに於いて大変な苦労をするのであるが、本発明によれば斯有るレベル出しも簡便に行うことができるものとなる。他方、上記レベル出しはスラブコンクリートに対して一旦固定後も、続いて床面に対して防水層を形成すると、その全体的仕上面との関係で微妙なレベルの再調整の問題も生ずるが、本発明では斯有る再調整も簡便且つ適確に行うことのできるものとなる。ところで、従来はスラブコンクリートに穴明けしアンカー等で固定されているため、上記の要望には全く対応できないのである。
なお、本発明では桝やグリーストラップなどをスラブコンクリート床面との関係で、歩行上のトラブルもなく、また清掃時の汚水流入を均一で容易ならしめる少し低くする好適且つ微妙なレベル調整による配設が自由になし得られる上で、従来にない優れた著効がある。
【図面の簡単な説明】
【図１】本発明で使用する型枠例の斜視図である。
【図２】上記型枠をデッキプレートに取付けてスラブコンクリートを打設した断面説明図である。
【図３】上記にグリーストラップを取付けた断面説明図である。
【図４】図３の一点鎖線部分の拡大断面図である。
【図５】従来例の断面説明図である。
【符号の説明】
１      デッキプレート
２      スラブコンクリート
４      グリーストラップ
５      型枠
５ａ    水平面
５ｂ    垂直面
６      透孔
７      高ナット
９      ボルトナット
１０    鍔体
１１    レベル調整用高ナット
１２    ボルトヘッド部隠し穴体
１３    レベル調整ボルト
１４    本体固定用ボルト
１６    防水シート
【図１】
0004085195.tif 000002
【図２】
0004085195.tif 000003
【図３】
0004085195.tif 000004
【図４】
0004085195.tif 000005
【図５】
0004085195.tif 000006